(57)【要約】【課題】使いやすい歯漂白装置を提供する。【解決手段】歯漂白装置１０は、歯を漂白する歯漂白流体を生成する生成装置３０と、生成装置３０により生成された歯漂白流体を供給する供給口１０３、および、歯漂白流体を排気する排気口１０４が形成されたマウスピース１００と、生成装置３０とマウスピース１００とを連結する連結部２０とを備える。マウスピース１００は歯漂白流体を案内するガイド面１２１が形成された外側湾曲要素１２０を備える。供給口１０３および排気口１０４はガイド面１２１に開口している。連結部２０は、供給口１０３と連通する供給通路１０１、および、排気口１０４と連通する排気通路１０２を備える。【選択図】図２
2015229084.tif 000002
【特許請求の範囲】
【請求項１】
歯を漂白する歯漂白流体を生成する生成装置と、
前記生成装置により生成された前記歯漂白流体を供給する供給口、および、前記歯漂白流体を排気する排気口が形成されるマウスピースと
を備える歯漂白装置。
【請求項２】
前記マウスピースは前記歯漂白流体を案内するガイド面が形成された湾曲要素を含む
請求項１に記載の歯漂白装置。
【請求項３】
前記供給口および前記排気口の少なくとも一方が前記ガイド面に開口する
請求項２に記載の歯漂白装置。
【請求項４】
前記生成装置と前記マウスピースとを連結する連結部をさらに備え、
前記連結部は、直接的あるいは間接的に前記供給口と連通する供給通路、および、直接的あるいは間接的に前記排気口と連通する排気通路を備える
請求項１〜３のいずれか一項に記載の歯漂白装置。
【請求項５】
前記歯漂白流体を吸引する吸引部をさらに備え、
前記排気通路が前記吸引部と連通する
請求項４に記載の歯漂白装置。
【請求項６】
前記連結部が２重管構造を備え、
前記２重管構造における内側の通路が前記供給通路および前記排気通路の一方であり、前記２重管構造における外側の通路が前記供給通路および前記排気通路の他方である
請求項４または５に記載の歯漂白装置。
【発明の詳細な説明】
【技術分野】
【０００１】
本発明は歯漂白流体を歯に供給する歯漂白装置に関する。
【背景技術】
【０００２】
歯漂白装置は、歯の色素分子に作用するラジカル種を生成し、このラジカル種を歯に供給することにより歯を漂白する。その一例として、歯科医師が用いる医療用歯漂白装置が知られている。この医療用歯漂白装置は、酸素系漂白剤に紫外線を照射することにより、または、酸素系漂白剤に熱を加えることにより、酸素系漂白剤からラジカル種を発生させる。紫外線の照射または加熱は口腔内に酸化系漂白剤を供給しながら行われる。このため、酸素系歯漂白剤に含まれる過酸化物が歯もしくは歯茎に接触すること、または、紫外線が歯もしくは歯茎に照射されること、または、紫外線により歯もしくは歯茎が加熱されることにより歯もしくは歯茎が傷むおそれがある。
【０００３】
このような歯または歯茎への影響を考慮し、酸素系歯漂白剤を用いずにラジカル種を発生させる家庭用歯漂白装置が知られている。特許文献１はその一例を開示している。
特許文献１の歯漂白装置は、プラズマを形成するための気体を貯留する気体シリンダー、および、気体シリンダーの気体から有効成分であるラジカル種を含むプラズマを生成するプラズマ発生セルを備える。特許文献１の歯漂白装置はさらに、プラズマ放出口を含むアプリケーターチューブ、および、プラズマ発生セルとアプリケーターチューブとを連結するホースを備える。
【０００４】
この歯漂白装置のユーザーは、プラズマ放出口が漂白対象である歯を指向するようにアプリケーターチューブを手に持ちながらプラズマ発生セルを駆動させる。プラズマ発生セルにより生成されたプラズマは、アプリケーターチューブを介して歯に供給される。
【先行技術文献】
【特許文献】
【０００５】
【特許文献１】特表２０１２−５１３４５５号公報
【発明の概要】
【発明が解決しようとする課題】
【０００６】
ユーザーは特許文献１の歯漂白装置を使用しているとき、アプリケーターチューブのプラズマ放出口が漂白対象の歯からずれないようにアプリケーターチューブを持つ手の姿勢を保持する必要がある。このため、特許文献１の歯漂白装置は、使いやすさの点において改善の余地がある。
【０００７】
本発明の目的は使いやすい歯漂白装置を提供することである。
【課題を解決するための手段】
【０００８】
本発明の一形態に従う歯漂白装置は、歯を漂白する歯漂白流体を生成する生成装置と、前記生成装置により生成された前記歯漂白流体を供給する供給口、および、前記歯漂白流体を排気する排気口が形成されるマウスピースとを備える。
【発明の効果】
【０００９】
歯漂白装置の一形態によれば、使いやすさをユーザーに提供できる。
【図面の簡単な説明】
【００１０】
【図１】実施の形態１の歯漂白装置のブロック図。
【図２】実施の形態２の歯漂白装置の斜視図。
【図３】実施の形態２のマウスピースの平面図。
【図４】実施の形態２のマウスピースの平面図。
【図５Ａ】実施の形態３における図３のＺ５Ａ−Ｚ５Ａ線の断面図。
【図５Ｂ】実施の形態３における図３のＺ５Ｂ−Ｚ５Ｂ線の断面図。
【図６】実施の形態４の歯漂白装置のブロック図。
【図７】実施の形態５の放電部の断面図。
【図８】実施の形態６のマウスピースの斜視図。
【図９】実施の形態６のマウスピースの分解斜視図。
【図１０】実施の形態６のマウスピースの断面図。
【図１１】実施の形態６のマウスピースの平面図。
【図１２】実施の形態７のマウスピースの斜視図。
【図１３】実施の形態７のマウスピースの断面図。
【図１４】実施の形態８の歯漂白装置の斜視図。
【図１５】実施の形態８のマウスピースの分解斜視図。
【図１６】実施の形態８のマウスピースの平面図。
【図１７】実施の形態９のマウスピースの斜視図。
【図１８】実施の形態９のマウスピースの平面図。
【図１９Ａ】図１８のＺ１９Ａ−Ｚ１９Ａ線の断面図。
【図１９Ｂ】図１８のＺ１９Ｂ−Ｚ１９Ｂ線の断面図。
【発明を実施するための形態】
【００１１】
（歯漂白装置が取り得る形態の一例）
〔１〕本発明の一形態に従う歯漂白装置は、歯を漂白する歯漂白流体を生成する生成装置と、前記生成装置により生成された前記歯漂白流体を供給する供給口、および、前記歯漂白流体を排気する排気口が形成されるマウスピースとを備える。
【００１２】
この歯漂白装置によれば、ユーザーは歯漂白流体を口腔内に供給する物体であるマウスピースを装着することにより、その物体を歯の漂白に適した位置に保持できる。すなわち、ユーザーは歯漂白流体を供給する物体を手で持たなくとも歯を漂白できる。このため、歯漂白装置はユーザーに使いやすさを提供できる。また、マウスピースが排気口を備えるため、ユーザーが口呼吸しなくとも口腔内の歯漂白流体が排気口を介して口腔外に排気される。このため、ユーザーが口呼吸により歯漂白流体を排気する場合と比較してユーザーにかかる負担が小さい。歯漂白装置はこの点においても使いやすさをユーザーに提供することに貢献する。
【００１３】
〔２〕前記歯漂白装置の一形態によれば、前記マウスピースは前記歯漂白流体を案内するガイド面が形成された湾曲要素を含む。
この歯漂白装置によれば、口腔内に供給された歯漂白流体が湾曲要素のガイド面に案内されることにより、歯の並びに沿って流れやすい。このため、歯漂白装置が湾曲要素を含まない場合と比較して歯が効率的に漂白される。
【００１４】
〔３〕前記歯漂白装置の一形態によれば、前記供給口および前記排気口の少なくとも一方が前記ガイド面に開口する。
供給口がガイド面に開口する場合、供給口から口腔内に供給された歯漂白流体が歯に到達しやすい。このため、供給口がガイド面に開口しない場合と比較して歯が効率的に漂白される。また、排気口がガイド面に開口する場合、歯の周囲に存在する歯漂白流体が排気口に流れ込みやすい。このため、排気口がガイド面に開口しない場合と比較して歯漂白流体が効率的に排気される。
【００１５】
〔４〕前記歯漂白装置の一形態によれば、前記生成装置と前記マウスピースとを連結する連結部をさらに備え、前記連結部は、直接的あるいは間接的に前記供給口と連通する供給通路、および、直接的あるいは間接的に前記排気口と連通する排気通路を備える。
【００１６】
この歯漂白装置によれば、ユーザーは生成装置から離れた位置でもマウスピースを装着できるため、歯を漂白するときに比較的自由な姿勢を取りやすい。歯漂白装置はこのような点においてもユーザーに使いやすさを提供することに貢献する。
【００１７】
〔５〕前記歯漂白装置の一形態によれば、前記歯漂白流体を吸引する吸引部をさらに備え、前記排気通路が前記吸引部と連通する。
この歯漂白装置によれば、吸引部が駆動することにより口腔内の歯漂白流体が吸引部により吸引され、マウスピースの排気口、排気通路、連結部、および、生成装置の順に流れ生成装置の外部に排気される。このため、歯漂白流体が口腔内に滞留してユーザーに不快感を与えるおそれが一層低くなる。
【００１８】
〔６〕前記歯漂白装置の一形態によれば、前記連結部が２重管構造を備え、前記２重管構造における内側の通路が前記供給通路および前記排気通路の一方であり、前記２重管構造における外側の通路が前記供給通路および前記排気通路の他方である。
【００１９】
この歯漂白装置によれば、個別に形成される複数の連結部を備える場合と比較して、ユーザーがマウスピースを装着するときにマウスピースを引き回しやすい。歯漂白装置はこのような点においてもユーザーに使いやすさを提供することに貢献する。
【００２０】
（実施の形態１）
図１を参照して、歯漂白装置１０の構成について説明する。
歯漂白装置１０は、歯を漂白する歯漂白流体を生成する生成装置３０、歯漂白流体を供給または排気するマウスピース１００、および、生成装置３０とマウスピース１００とを連結する連結部２０を備える。歯漂白流体の一例は帯電微粒子水を含む気体であり、帯電微粒子水に含まれるラジカル種は歯を漂白する有効成分の一例である。
【００２１】
生成装置３０は、ラジカル種を含む帯電微粒子水を生成する放電部４０、放電部４０をはじめとする各種の構成要素を収容するハウジング３４、および、放電部４０に帯電微粒子水を生成させるためのトリガを形成するスイッチ３７を備える。
【００２２】
ハウジング３４は、連結部２０が接続される接続部３５、および、ハウジング３４の内部の空間とハウジング３４の外部とを連通する排気口３３を備える。ハウジング３４はさらに、歯漂白流体を連結部２０に案内する供給通路３１、および、連結部２０から排気された歯漂白流体を排気口３３に案内する排気通路３２を備える。供給通路３１および排気通路３２はそれぞれの通路を流れる流体が混合しないように相互に区画されている。
【００２３】
接続部３５はハウジング３４の内部の空間とハウジング３４の外部とを連通する接続通路３６を備える。供給通路３１は放電部４０の出口と接続通路３６とを連通する。排気通路３２は排気口３３と接続通路３６とを連通する。
【００２４】
マウスピース１００は、連結部２０が接続される接続部１１０、ならびに、マウスピース１００の内部の空間とマウスピース１００の外部とを連通する供給口１０３および排気口１０４を備える。供給口１０３および排気口１０４はそれぞれの通路を通過する流体が混合しないように相互に区画されている。
【００２５】
マウスピース１００はさらに、接続部１１０を介してマウスピース１００の内部に供給された歯漂白流体を供給口１０３に案内する供給通路１０１、および、マウスピース１００の外部から排気口１０４に流れ込んだ歯漂白流体を接続部１１０に案内する排気通路１０２を備える。供給通路１０１および排気通路１０２はそれぞれの通路を流れる流体が混合しないように相互に区画されている。
【００２６】
接続部１１０はマウスピース１００の内部の空間とマウスピース１００の外部とを連通する接続通路１１１を備える。供給通路１０１は接続通路１１１と供給口１０３とを連通する。排気通路１０２は接続通路１１１と排気口１０４とを連通する。
【００２７】
連結部２０は、生成装置３０から供給された歯漂白流体をマウスピース１００に案内する供給通路２１、および、マウスピース１００から排気された歯漂白流体を生成装置３０に案内する排気通路２２を備える。供給通路２１および排気通路２２はそれぞれの通路を流れる流体が混合しないように相互に区画されている。
【００２８】
連結部２０の一例は１本の管状の物体であり、その内部に供給通路２１および排気通路２２を備える。連結部２０の別の一例は２本の管状の物体であり、一方の物体の内部に供給通路２１を備え、他方の物体の内部に排気通路２２を備える。
【００２９】
生成装置３０の接続通路３６に連結部２０が挿入された状態によれば、生成装置３０の通路および連結部２０の通路が次の接続関係を形成する。生成装置３０の供給通路３１は、連結部２０の供給通路２１と連通し、連結部２０の排気通路２２とは連通しない。生成装置３０の排気通路３２は、連結部２０の排気通路２２と連通し、連結部２０の供給通路２１とは連通しない。
【００３０】
マウスピース１００の接続通路１１１に連結部２０が挿入された状態によれば、マウスピース１００の通路および連結部２０の通路が次の接続関係を形成する。マウスピース１００の供給通路１０１は、連結部２０の供給通路２１と連通し、連結部２０の排気通路２２とは連通しない。マウスピース１００の排気通路１０２は、連結部２０の排気通路２２と連通し、連結部２０の供給通路２１とは連通しない。
【００３１】
歯漂白装置１０の動作について説明する。
ユーザーはマウスピース１００を口腔内に装着し、口を閉じることによりマウスピース１００を保持する。その後、スイッチ３７がオフからオンに切り替えられることにより放電部４０が動作しはじめ、放電部４０により帯電微粒子水を含む歯漂白流体が生成される。生成装置３０により生成された歯漂白流体は、生成装置３０の供給通路３１、連結部２０の供給通路２１、および、マウスピース１００の供給通路１０１の順に流れる。
【００３２】
供給通路１０１の歯漂白流体は供給口１０３から口腔内に供給される。このため、帯電微粒子水が歯に到達し、帯電微粒子水に含まれるラジカル種が歯に付着している着色性の有機物質から電子を奪う。このため、着色性の有機物質が分解され、歯が漂白される。
【００３３】
一方、口腔内に存在する歯漂白流体は排気口１０４を介して排気通路１０２に流れ込み、連結部２０の排気通路２２および生成装置３０の排気通路３２を通過し、生成装置３０の排気口３３から生成装置３０の外部に排気される。
【００３４】
実施の形態１の歯漂白装置１０によれば以下の効果が得られる。
（１）歯漂白装置１０は生成装置３０およびマウスピース１００を備える。この構成によれば、ユーザーは歯漂白流体を口腔内に供給する物体であるマウスピース１００を装着することにより、その物体を歯の漂白に適した位置に保持できる。すなわち、ユーザーは歯漂白流体を供給する物体を手で持たなくとも歯を漂白できる。このため、歯漂白装置１０はユーザーに使いやすさを提供できる。
【００３５】
（２）上記（１）の構成によれば、ユーザーが歯漂白装置１０を使用しているとき、ユーザーの手が疲れにくい。歯漂白装置１０はこの点においてもユーザーに使いやすさを提供することに貢献する。
【００３６】
（３）上記（１）の構成によれば、ユーザーは、歯漂白装置１０を使用している最中に手を自由に使うことができる。このため、ユーザーは歯を漂白しながら他の作業を実施できる。歯漂白装置１０はこの点においてもユーザーに使いやすさを提供することに貢献する。
【００３７】
（４）上記（１）の構成によれば、歯漂白流体を歯に供給する物体をユーザーが手で持つ場合と比較して、ユーザーが歯漂白装置１０を使用している最中に歯に対する供給口１０３の位置がずれにくい。このため、供給口１０３から口腔内に供給された歯漂白流体が歯に効率的に供給される。
【００３８】
（５）歯漂白装置１０は連結部２０を備える。この構成によれば、ユーザーは生成装置３０から離れた位置でもマウスピース１００を装着できるため、歯を漂白するときに比較的自由な姿勢を取りやすい。歯漂白装置１０はこのような点においてもユーザーに使いやすさを提供することに貢献する。
【００３９】
（６）ユーザーは歯漂白装置１０を使用しているとき、口呼吸しにくい。このため、マウスピース１００を介して口腔内に供給された歯漂白流体を口呼吸により排気しにくい。一方、マウスピース１００は排気口１０４を備える。このため、ユーザーが口呼吸しなくとも口腔内の歯漂白流体が排気口１０４および排気通路１０２を介して口腔外に排気される。このため、ユーザーが口呼吸により歯漂白流体を排気する場合と比較してユーザーにかかる負担が小さい。歯漂白装置１０はこの点においても使いやすさをユーザーに提供することに貢献する。
【００４０】
（７）上記（６）の構成によれば、口腔内が生成装置３０から供給された歯漂白流体により満たされにくい。このため、口腔内が歯漂白流体で満たされることによりユーザーが不快感を覚えるおそれが低減される。
【００４１】
（実施の形態２）
図２〜図４を参照して、実施の形態２の歯漂白装置１０の構成について説明する。実施の形態２の歯漂白装置１０は、実施の形態１の歯漂白装置１０に関する説明により明示されていない以下の構成を含む。
【００４２】
図２は歯漂白装置１０の斜視構造を示している。
生成装置３０および連結部２０は、連結部２０が生成装置３０に接続された状態、および、連結部２０が生成装置３０から分離された状態をユーザーが任意に選択できる接続構造を備える。マウスピース１００および連結部２０は、連結部２０がマウスピース１００に接続された状態、および、連結部２０がマウスピース１００から分離された状態をユーザーが任意に選択できる接続構造を備える。
【００４３】
連結部２０の一例はハウジング３４の接続部３５とマウスピース１００の接続部１１０とを連結するホースである。このホースを構成する材料の一例は高い可撓性を有する樹脂である。ホースは内管２３および外管２４により構成される２重管構造を備える。内管２３の内部に供給通路２１が形成されている。内管２３と外管２４との間に排気通路２２が形成されている。
【００４４】
図３はマウスピース１００の平面構造を示している。
マウスピース１００は例えばその平面視における左右方向の中心線に対して左右対称の形状を有し、ユーザーの年齢等に応じた様々な大きさを取り得る。マウスピース１００を構成する材料の一例はシリコーンゴムである。
【００４５】
マウスピース１００は接続部１１０の他に、歯漂白流体を案内できるように湾曲した外側湾曲要素１２０、外側湾曲要素１２０から突出した咬合要素１３０、および、咬合要素１３０から突出した内側湾曲要素１４０を備える。咬合要素１３０および内側湾曲要素１４０は外側湾曲要素１２０の形状に倣って湾曲している。マウスピース１００はさらに、外側湾曲要素１２０、咬合要素１３０、および、内側湾曲要素１４０に囲まれた歯収容空間１０５を備える。
【００４６】
外側湾曲要素１２０は、供給通路１０１、排気通路１０２、供給口１０３、および、排気口１０４を備え、さらに、歯漂白流体を案内するガイド面１２１を備える。供給通路１０１および排気通路１０２は外側湾曲要素１２０の内部に形成され、それぞれの通路を流れる歯漂白流体が混合しないように外側湾曲要素１２０の一部により相互に区画されている。供給口１０３および排気口１０４はガイド面１２１に開口し、それぞれの口を通過する歯漂白流体が混合しないように同じく外側湾曲要素１２０の一部により相互に区画されている。
【００４７】
供給通路１０１等は一例によれば次のような形態を有する。供給通路１０１および供給口１０３、ならびに、排気通路１０２および排気口１０４は外側湾曲要素１２０の延長方向に沿うように形成される。供給通路１０１および排気通路１０２は外側湾曲要素１２０の高さ方向に並べて形成される。排気通路１０２は外側湾曲要素１２０の高さ方向において供給通路１０１を挟み込むように形成される。
【００４８】
図示される例によれば、供給通路１０１のうちの外側湾曲要素１２０の形状に倣って湾曲した部分、および、排気通路１０２のうちの外側湾曲要素１２０の形状に倣って湾曲した部分が外側湾曲要素１２０の平面視において実質的に重なり合っている。図３および図４では、排気通路１０２を形成する一部の面が供給通路１０１に対してずれた位置に表示されていることにより、それらの図に供給通路１０１および排気通路１０２の存在が示されている。
【００４９】
咬合要素１３０は外側湾曲要素１２０の内方に向けて突出し、相対的に表裏の関係を形成する内側面１３１および外側面１３２を備える。内側湾曲要素１４０は咬合要素１３０の内側面１３１からマウスピース１００の高さ方向に突出した要素であり、外側湾曲要素１２０のガイド面１２１と対向するガイド面１４１を備える。
【００５０】
図４を参照して、歯漂白装置１０の動作について説明する。
ユーザーは、上顎の歯または下顎の歯がマウスピース１００の歯収容空間１０５に配置されるようにマウスピース１００を口腔に装着し、上顎の歯および下顎の歯で咬合要素１３０を咬むことによりマウスピース１００を保持する。マウスピース１００が口腔に装着された状態によれば、外側湾曲要素１２０のガイド面１２１が歯収容空間１０５の一部を隔てて歯の表面と対向し、内側湾曲要素１４０のガイド面１４１が歯収容空間１０５の一部を隔てて歯の裏面と対向する。さらに、咬合要素１３０の内側面１３１が上顎の歯と接触し、咬合要素１３０の外側面１３２が下顎の歯と接触する。
【００５１】
図４の白抜き矢印は、連結部２０およびマウスピース１００を通過して口腔内に供給される歯漂白流体の流れ、および、歯に到達する歯漂白流体の流れをおおまかに示している。図４の黒い矢印は、口腔内からマウスピース１００に排気される歯漂白流体の流れ、および、マウスピース１００および連結部２０を通過して生成装置３０（図２参照）に排気される歯漂白流体の流れをおおまかに示している。なお、図５Ａ、図５Ｂ、図１０、図１１、図１３、図１６、図１９Ａ、および、図１９Ｂに示される白抜き矢印および黒い矢印は、図４の各矢印により示される歯漂白流体の流れと同様または類似する歯漂白流体の流れを示している。
【００５２】
生成装置３０により生成された歯漂白流体は、生成装置３０の供給通路３１、連結部２０の供給通路２１、および、マウスピース１００の供給通路１０１の順に流れる。供給通路１０１の歯漂白流体は供給口１０３から歯収容空間１０５に供給される。このため、歯収容空間１０５に供給された歯漂白流体が前歯ＴＦまたは奥歯ＴＲに到達し、その歯が漂白される。
【００５３】
歯収容空間１０５の歯漂白流体は外側湾曲要素１２０のガイド面１２１に案内されることにより歯の並びに沿うように歯収容空間１０５を流れる。このため、歯漂白流体が上顎の歯または下顎の歯のおおよそ全部に到達し、それらの歯が漂白される。
【００５４】
一方、歯収容空間１０５に存在する歯漂白流体は排気口１０４を介して排気通路１０２に流れ込み、連結部２０の排気通路２２および生成装置３０の排気通路３２（図１参照）を通過し、生成装置３０の排気口３３から生成装置３０の外部に排気される。
【００５５】
実施の形態２の歯漂白装置１０によれば、実施の形態１の歯漂白装置１０により得られる（１）〜（７）の効果に加えて、さらに以下の効果が得られる。
（８）歯漂白装置１０は２重管構造の連結部２０を備える。この構成によれば、個別に形成される複数の連結部を備える場合と比較して、ユーザーがマウスピース１００を装着するときにマウスピース１００を引き回しやすい。歯漂白装置はこのような点においてもユーザーに使いやすさを提供することに貢献する。
【００５６】
（９）マウスピース１００は外側湾曲要素１２０を備える。この構成によれば、歯収容空間１０５に供給された歯漂白流体が外側湾曲要素１２０のガイド面１２１に案内されることにより、歯の並びに沿って流れやすい。このため、マウスピース１００が外側湾曲要素１２０を含まない場合と比較して歯が効率的に漂白される。
【００５７】
（１０）供給口１０３が外側湾曲要素１２０のガイド面１２１に開口している。この構成によれば、供給口１０３から口腔内に供給された歯漂白流体が歯に到達しやすい。このため、供給口１０３がガイド面１２１に開口していない場合と比較して歯が効率的に漂白される。
【００５８】
（１１）排気口１０４が外側湾曲要素１２０のガイド面１２１に開口している。この構成によれば、歯の周囲に存在する歯漂白流体が排気口１０４に流れ込みやすい。このため、排気口１０４がガイド面１２１に開口していない場合と比較して歯漂白流体が効率的に排気される。
【００５９】
（実施の形態３）
図５Ａおよび図５Ｂを参照して、実施の形態３の歯漂白装置１０の構成について説明する。実施の形態３の歯漂白装置１０は、実施の形態２の歯漂白装置１０に関する説明により明示されていない以下の構成を含む。
【００６０】
図５Ａは、マウスピース１００を装着したユーザーの口腔における前歯ＴＦおよびその周囲を示している。図５Ｂは、マウスピース１００を装着したユーザーの口腔における奥歯ＴＲおよびその周囲を示している。
【００６１】
歯収容空間１０５の高さは一例によれば、前歯ＴＦおよび奥歯ＴＲにおける歯茎Ｇとの付け根の部分が歯収容空間１０５に収容されるように設定される。なお、歯収容空間１０５の高さは咬合要素１３０の内側面１３１から外側湾曲要素１２０の頂面または内側湾曲要素１４０の頂面までの距離である。
【００６２】
歯収容空間１０５の幅は一例によれば、外側湾曲要素１２０のガイド面１２１と前歯ＴＦおよび奥歯ＴＲとの間に適度な大きさの隙間である案内通路１０６が形成されるように設定される。なお、歯収容空間１０５の幅は咬合要素１３０がガイド面１２１から突出している方向における外側湾曲要素１２０のガイド面１２１と内側湾曲要素１４０のガイド面１４１との距離である。
【００６３】
歯収容空間１０５の開口の幅は一例によれば、外側湾曲要素１２０のガイド面１２１、および、内側湾曲要素１４０のガイド面１４１が、前歯ＴＦおよび奥歯ＴＲにおける歯茎Ｇとの付け根の部分と適度な圧力で接触するように設定される。なお、図示された例によれば、歯収容空間１０５の開口の幅が歯収容空間１０５の幅と同じ大きさに設定されている。
【００６４】
図５Ａに示されるとおり、マウスピース１００が口腔に装着された状態によれば、上顎の前歯ＴＦの切縁が咬合要素１３０の内側面１３１に接触し、下顎の前歯の切縁（図示略）が咬合要素１３０の外側面１３２に接触する。外側湾曲要素１２０のガイド面１２１は前歯ＴＦとの間に案内通路１０６を形成する。外側湾曲要素１２０のガイド面１２１は上顎の歯茎Ｇにおける前歯ＴＦの付け根の部分の表面に密着する。内側湾曲要素１４０のガイド面１４１は上顎の歯茎Ｇにおける前歯ＴＦの付け根の部分の裏面に密着する。
【００６５】
図５Ｂに示されるとおり、マウスピース１００が口腔に装着された状態によれば、上顎の奥歯ＴＲの咬合面が咬合要素１３０の内側面１３１に接触し、下顎の奥歯の咬合面（図示略）が咬合要素１３０の外側面１３２に接触する。外側湾曲要素１２０のガイド面１２１は奥歯ＴＲとの間に案内通路１０６を形成する。外側湾曲要素１２０のガイド面１２１は上顎の歯茎Ｇにおける奥歯ＴＲの付け根の部分の表面に密着する。内側湾曲要素１４０のガイド面１４１は上顎の歯茎Ｇにおける奥歯ＴＲの付け根の部分の裏面に密着する。
【００６６】
図５Ａおよび図５Ｂを参照して、歯漂白装置１０の動作について説明する。
図５Ａに示されるとおり、連結部２０の供給通路２１からマウスピース１００の供給通路１０１に歯漂白流体が供給される。供給通路１０１の歯漂白流体は供給口１０３の中間部分から案内通路１０６に供給される。このため、歯漂白流体が前歯ＴＦに到達し、その歯が漂白される。また、前歯ＴＦの付近に存在する歯漂白流体は供給口１０３の上方または下方に開口している排気口１０４を介して排気通路１０２に流れ込み、連結部２０の排気通路２２を通過してマウスピース１００の外部に排気される。
【００６７】
図５Ｂに示されるとおり、供給通路１０１の歯漂白流体は供給口１０３の中間部分よりも端部側の部分から案内通路１０６に供給される。このため、歯漂白流体が奥歯ＴＲに到達し、その歯が漂白される。また、奥歯ＴＲの付近に存在する歯漂白流体は供給口１０３の上方または下方に開口している排気口１０４を介して排気通路１０２に流れ込み、連結部２０の排気通路２２を通過してマウスピース１００の外部に排気される。
【００６８】
案内通路１０６の歯漂白流体は、外側湾曲要素１２０のガイド面１２１に案内されることにより歯の並びに沿うように案内通路１０６を流れる。このため、歯漂白流体が上顎の歯および下顎の歯のおおよそ全部に到達し、それらの歯が漂白される。
【００６９】
実施の形態３の歯漂白装置１０によれば、実施の形態２の歯漂白装置１０により得られる（１）〜（１１）の効果に加えて、さらに以下の効果が得られる。
（１２）外側湾曲要素１２０と前歯ＴＦおよび奥歯ＴＲとの間に案内通路１０６が形成されることを意図して歯収容空間１０５の幅が設定される。この構成によれば、供給口１０３から案内通路１０６に供給された歯漂白流体が歯の並びに沿って流れやすい。このため、複数の歯における漂白の度合の差が大きくになりにくい。
【００７０】
（１３）また、上記（１２）の構成によれば、供給口１０３が歯により閉塞されにくい。このため、供給口１０３から案内通路１０６に向かう歯漂白流体の流れが妨げられにくい。このため、歯漂白装置１０が上記（１２）の構成を含まない場合と比較して歯漂白流体が歯に効率的に供給される。
【００７１】
（実施の形態４）
図６を参照して、実施の形態４の歯漂白装置１０の構成について説明する。実施の形態４の歯漂白装置１０は、実施の形態３の歯漂白装置１０に関する説明により明示されていない以下の構成を含む。
【００７２】
生成装置３０はハウジング３４および放電部４０に加えて、商用電源８０から供給された電力を整流する電源部５１、ならびに、電源部５１から供給された電力の周波数を変化させて出力する駆動回路５２を備える。生成装置３０はさらに、駆動回路５２から供給された電圧を拡大する共振回路５３、および、共振回路５３から供給された電圧を高電圧に変換して出力する積層圧電トランス５４を備える。生成装置３０はさらに、放電部４０に空気を供給するエアーポンプ５５、ならびに、駆動回路５２、放電部４０、および、エアーポンプ５５を制御する制御部５６を備える。ハウジング３４は、放電部４０、電源部５１、駆動回路５２、共振回路５３、積層圧電トランス５４、エアーポンプ５５、および、制御部５６を収容している。
【００７３】
電源部５１は例えばダイオードブリッジを含み、商用電源８０から供給される交流電力を全波整流する整流回路、および、整流回路により整流された電力のノイズを除去するコンデンサを備える。
【００７４】
駆動回路５２は電源部５１と電気的に接続され、例えば単相フルブリッジ型のインバータを備える。このインバータは並列的に接続された２つのアームを備え、それぞれのアームは直列的に接続された２つのＭＯＳＦＥＴ（metal-oxide-semiconductor field-effect transistor）を備える。駆動回路５２は４つのＭＯＳＦＥＴのオンおよびオフを切り替えることにより、商用電源８０から供給される交流電力の周波数よりも高い周波数の交流電力を生成する。
【００７５】
共振回路５３は例えば直列型のＬＣ共振回路であり、駆動回路５２、リアクトル、および、積層圧電トランス５４の１次側電極が直列的に接続された回路構成を備え、駆動回路５２から供給された電力を拡大して積層圧電トランス５４に供給する。
【００７６】
積層圧電トランス５４は、共振回路５３と電気的に接続される上記１次側電極、および、放電部４０の電極と電気的に接続される２次側電極を備え、共振回路５３から供給された交流電力を変圧し、変圧した交流電力を放電部４０の電極に出力する。なお、放電部４０の電極の一例は図７に示される霧化電極４１である。
【００７７】
放電部４０は、積層圧電トランス５４から供給された電力により放電を発生させ、帯電微粒子水を生成する。放電部４０が発生させる放電は例えばコロナ放電である。放電により生成された帯電微粒子水に含まれるラジカル種はＯＨラジカルを含む。
【００７８】
エアーポンプ５５は、放電部４０の電極、および、その周囲に向けて空気を供給し得る箇所に配置されている。エアーポンプ５５が駆動することにより放電部４０の電極およびその周囲を通過するように空気が流れる。放電部４０の電極およびその周囲に供給された空気は、放電部４０により生成された帯電微粒子水とともに生成装置３０の供給通路３１を介して連結部２０の供給通路２１に流れ込む。
【００７９】
制御部５６は、駆動回路５２の各ＭＯＳＦＥＴに制御信号を出力することにより駆動回路５２の動作を制御する。制御部５６はさらに、エアーポンプ５５に制御信号を出力することによりエアーポンプ５５の動作を制御する。制御部５６は例えば生成装置３０のスイッチ３７がオンされたことに基づいて駆動回路５２およびエアーポンプ５５の動作を開始させる。
【００８０】
実施の形態４の歯漂白装置１０によれば、実施の形態３の歯漂白装置１０により得られる（１）〜（１３）の効果に加えて、さらに以下の効果が得られる。
（１４）歯漂白装置１０はエアーポンプ５５を備える。この構成によれば、歯漂白流体がエアーポンプ５５の吐出圧力により生成装置３０からマウスピース１００に供給される。このため、生成装置３０から口腔内に向かう歯漂白流体の流れが適切に形成される。このため、歯漂白装置１０がエアーポンプ５５を含まない場合と比較して歯が一層効率的に漂白される。
【００８１】
（実施の形態５）
図７を参照して、実施の形態５の歯漂白装置１０の構成について説明する。実施の形態５の歯漂白装置１０は、実施の形態４の歯漂白装置１０に関する説明により明示されていない以下の構成を含む。
【００８２】
図７は放電部４０のモデルの一例を示している。放電部４０は、帯電微粒子水を生成する霧化電極４１、霧化電極４１と空間を隔てて配置される対向電極４２、霧化電極４１を冷却する冷却モジュール４４、および、冷却モジュール４４を冷却する冷却フィン４５を備える。
【００８３】
霧化電極４１を構成する材料の一例は導電性を有する金属である。霧化電極４１の胴部４１Ｂは冷却モジュール４４を構成する冷却用絶縁板４４Ａに設置されている。胴部４１Ｂの先端には例えば球状の頭部４１Ａが形成される。胴部４１Ｂの形状は例えば冷却モジュール４４側から頭部４１Ａ側に向かうにつれて細くなる円錐台形状である。
【００８４】
対向電極４２を構成する材料の一例は導電性を有する金属である。対向電極４２は接地されている。対向電極４２には例えば半球形状に類似した形状を有する湾曲部分が形成されている。この湾曲部分には、霧化電極４１と対向電極４２との間に存在する空間、および、対向電極４２の外側に存在する空間に連通する放出口４３が形成されている。
【００８５】
冷却モジュール４４は、霧化電極４１の熱を吸収する上記冷却用絶縁板４４Ａ、ならびに、冷却用絶縁板４４Ａおよび霧化電極４１を冷却するペルチェモジュール４４Ｂを備える。冷却用絶縁板４４Ａを構成する材料の一例は熱伝導性および耐電性が高い材料であり、その一例はアルミナである。冷却用絶縁板４４Ａは霧化電極４１とペルチェモジュール４４Ｂとの間に配置されている。
【００８６】
冷却フィン４５を構成する材料の一例は熱伝導性が高い材料であり、その一例はアルミナである。冷却フィン４５は冷却用絶縁板４４Ａとの間にペルチェモジュール４４Ｂを挟み込むようにペルチェモジュール４４Ｂに取り付けられている。このため、ペルチェモジュール４４Ｂの熱が冷却フィン４５を介して放出される。
【００８７】
制御部５６は放電部４０の一部であるペルチェモジュール４４Ｂと電気的に接続され、ペルチェモジュール４４Ｂの動作を制御する。ペルチェモジュール４４Ｂが動作することにより霧化電極４１がペルチェモジュール４４Ｂにより冷却される。このため、霧化電極４１の頭部４１Ａの表面および胴部４１Ｂの表面に水が付着し、霧化電極４１が結露する。霧化電極４１が結露した状態において積層圧電トランス５４から霧化電極４１に電力が供給されることにより、霧化電極４１の頭部４１Ａの表面および胴部４１Ｂの表面に付着している水がクーロン力により頭部４１Ａの表面に集結し、頭部４１ＡにテイラーコーンＣが形成される。
【００８８】
頭部４１ＡにテイラーコーンＣが形成された状態において霧化電極４１と対向電極４２との間に放電が発生したとき、テイラーコーンＣからラジカル種を含む帯電微粒子水が生成される。この帯電微粒子水はエアーポンプ５５（図６参照）から供給された空気とともに対向電極４２の放出口４３を介して生成装置３０の供給通路３１（図１参照）に流れ込む。
【００８９】
実施の形態５の歯漂白装置１０によれば、実施の形態４の歯漂白装置１０により得られる（１）〜（１４）の効果に加えて、さらに以下の効果が得られる。
（１５）放電部４０は冷却モジュール４４により霧化電極４１を冷却することにより霧化電極４１に水を供給する。この構成によれば、例えば吸水用のタンクから霧化電極４１に水を供給する構成と比較して生成装置３０を小型化しやすい。
【００９０】
（実施の形態６）
図８〜図１１を参照して、実施の形態６の歯漂白装置１０の構成について説明する。実施の形態６の歯漂白装置１０は、図１に示される実施の形態１の歯漂白装置１０のマウスピース１００に代えて、図８に示されるマウスピース２００を備える。
【００９１】
マウスピース２００は例えば、その平面視における左右方向の中心線に対して左右対称の形状を有し、ユーザーの年齢等に応じた様々な大きさを取り得る。マウスピース２００を構成する材料の一例はシリコーンゴムである。
【００９２】
マウスピース２００はマウスピース２００の内部の空間とマウスピース２００の外部とを連通する供給口２０３および排気口２０４を備える。マウスピース２００はさらに、連結部２０が接続される接続部２１０、接続部２１０を介してマウスピース２００の内部に供給された歯漂白流体を供給口２０３に案内する供給通路２０１、および、排気口２０４に流れ込んだ歯漂白流体を接続部２１０に案内する排気通路２０２を備える。
【００９３】
マウスピース２００はさらに、歯漂白流体の流れを案内できるように湾曲した湾曲要素２２０、接続部２１０と湾曲要素２２０とを繋げる中空の胴２３０、および、胴２３０の内部に配置される区画要素２７０を備える。マウスピース２００はさらに、湾曲要素２２０から突出した２つの桟２４０、胴２３０の周囲から突出した２つのリム２５０、および、湾曲要素２２０とリム２５０との間に形成された２つのリブ２６０を備える。各桟２４０は湾曲要素２２０の形状に倣って湾曲している。
【００９４】
マウスピース２００はさらに、湾曲要素２２０の背面、胴２３０の頂面、および、一方のリム２５０の側面に囲まれた上側の唇収容空間２０５、ならびに、湾曲要素２２０の背面、胴２３０の底面、および、一方のリム２５０の側面に囲まれた下側の唇収容空間２０５を備える。
【００９５】
一例によれば、接続部２１０、湾曲要素２２０、胴２３０、２つの桟２４０、２つのリム２５０、および、２つのリブ２６０は一体成形された樹脂要素であり、区画要素２７０はその樹脂要素とは別に成形された樹脂要素である。
【００９６】
図９はマウスピース２００の分解斜視構造を示している。
胴２３０の一例はオーバルチューブである。胴２３０および湾曲要素２２０の内部には区画要素２７０が挿入される要素収容空間２８０が形成されている。区画要素２７０は、胴２３０の内面および湾曲要素２２０の内面との間に排気通路２０２が形成されるように区画要素２７０の形状を保持するための複数の支持突起２７１、ならびに、供給通路２０１および供給口２０３を備える。
【００９７】
区画要素２７０が要素収容空間２８０に挿入され、支持突起２７１が胴２３０の内面に密着することにより区画要素２７０が胴２３０に固定され、図８に示されるマウスピース２００が構成される。
【００９８】
図８に示されるとおり、マウスピース２００によれば、要素収容空間２８０が区画要素２７０により区画され、胴２３０の内面および湾曲要素２２０の内面と区画要素２７０の外面との間に存在する要素収容空間２８０の一部が排気通路２０２および排気口２０４を構成する。
【００９９】
接続部２１０はマウスピース２００の要素収容空間２８０とマウスピース２００の外部とを連通する接続通路２１１を備える。供給通路２０１は接続通路２１１と供給口２０３とを連通する。排気通路２０２は接続通路２１１と排気口２０４とを連通する。
【０１００】
湾曲要素２２０は歯漂白流体を案内するガイド面２２１を備える。要素収容空間２８０の開口である排気口２０４はガイド面２２１に開口し、区画要素２７０を隔てて供給口２０３の周囲を取り囲んでいる。
【０１０１】
上側の桟２４０は湾曲要素２２０の上側の縁に形成され、湾曲要素２２０の内方に向けて突出している。下側の桟２４０は湾曲要素２２０の下側の縁に形成され、湾曲要素２２０の内方に向けて突出している。各桟２４０の先端にはＲ部分が形成されている。
【０１０２】
２つのリム２５０は胴２３０の中心軸線の方向において隙間を隔てて対向している。２つのリブ２６０は湾曲要素２２０の背面および胴２３０の側面に沿うように湾曲要素２２０の背面からリム２５０までにわたり形成されている。
【０１０３】
図１１はマウスピース２００の平面構造を示している。
連結部２０の一例は、実施の形態２と同様に内管２３および外管２４により構成されるホースである。マウスピース２００の接続通路２１１に連結部２０が挿入された状態によれば、マウスピース２００の通路および連結部２０の通路が次の接続関係を形成する。マウスピース２００の供給通路２０１は、連結部２０の供給通路２１と連通し、連結部２０の排気通路２２とは連通しない。マウスピース２００の排気通路２０２は、連結部２０の排気通路２２と連通し、連結部２０の供給通路２１とは連通しない。
【０１０４】
図１０はマウスピース２００がユーザーの口腔に装着された状態を示している。
ユーザーは、上側の唇収容空間２０５に上唇ＲＵを配置し、下側の唇収容空間２０５に下唇ＲＬを配置し、上唇ＲＵと歯茎Ｇとの間に上側の桟２４０を配置し、下唇ＲＬと歯茎Ｇとの間に下側の桟２４０を配置することによりマウスピース２００を保持する。
【０１０５】
マウスピース２００が口腔に装着された状態によれば、湾曲要素２２０、胴２３０、一方のリム２５０、および、２つのリブ２６０がそれぞれ上唇ＲＵおよび下唇ＲＬと接触する。また、上側の桟２４０が上顎の歯茎Ｇと接触することにより、湾曲要素２２０のガイド面２２１と上顎の歯および歯茎Ｇとの間に案内通路２０６が形成される。また、下側の桟２４０が下顎の歯茎Ｇと接触することにより、湾曲要素２２０のガイド面２２１と下顎の歯および歯茎Ｇとの間に案内通路２０６が形成される。各桟２４０のＲ部分は歯茎Ｇにソフトな接触感を与える。
【０１０６】
図１０および図１１を参照して、歯漂白装置１０の動作について説明する。
図１０に示されるとおり、連結部２０の供給通路２１からマウスピース２００の供給通路２０１に歯漂白流体が供給される。供給通路２０１の歯漂白流体は供給口２０３から案内通路２０６に供給される。図１１に示されるとおり、案内通路２０６の歯漂白流体は湾曲要素２２０のガイド面２２１に案内されることにより歯の並びに沿うように案内通路２０６を流れる。このため、歯漂白流体が上顎の歯および下顎の歯のおおよそ全部に到達し、それらの歯が漂白される。
【０１０７】
図１０に示されるとおり、案内通路２０６に存在する歯漂白流体は排気口２０４を介して排気通路２０２に流れ込む。排気通路２０２の排気は連結部２０の排気通路２２および生成装置３０の排気通路３２（図１参照）を通過し、生成装置３０の排気口３３から生成装置３０の外部に排気される。
【０１０８】
実施の形態６の歯漂白装置１０によれば、実施の形態５の歯漂白装置１０により得られる（１）〜（１５）の効果に加えて、さらに以下の効果が得られる。
（１６）マウスピース２００は上顎の歯および下顎の歯との間に案内通路２０６を形成し得る湾曲要素２２０を備える。この構成によれば、ユーザーがマウスピース２００を口腔に装着することにより、上顎の歯および下顎の歯が併せて漂白される。このため、マウスピース２００が湾曲要素２２０を含まない場合と比較して歯を漂白するためにかかる時間が短縮される。
【０１０９】
（実施の形態７）
図１２および図１３を参照して、実施の形態７の歯漂白装置１０の構成について説明する。実施の形態７の歯漂白装置１０は、図１に示される実施の形態１の歯漂白装置１０のマウスピース１００に代えて、図１２に示されるマウスピース３００を備える。
【０１１０】
マウスピース３００は、実施の形態６のマウスピース２００と共通する部分である接続部２１０、湾曲要素２２０、胴２３０、２つのリム２５０、および、２つのリブ２６０を備える。マウスピース３００は、同じく実施の形態６のマウスピース２００と共通する部分である供給通路２０１、排気通路２０２、供給口２０３、および、排気口２０４を備える。マウスピース３００は以下の点において実施の形態６のマウスピース２００と相違している。
【０１１１】
マウスピース３００は、湾曲要素２２０から突出した２つの咬合要素３１０、および、同じく湾曲要素２２０から突出した２つの厚肉部３２０を備える。各咬合要素３１０および各厚肉部３２０は湾曲要素２２０の形状に倣って湾曲している。
【０１１２】
一方の咬合要素３１０は、供給口２０３の一方の縁から湾曲要素２２０の一方の端部までにわたり形成され、湾曲要素２２０の内方に向けてガイド面２２１に対して突出している。他方の咬合要素３１０は、供給口２０３の他方の縁から湾曲要素２２０の他方の端部までにわたり形成され、湾曲要素２２０の内方に向けてガイド面２２１に対して突出している。
【０１１３】
一方の厚肉部３２０は湾曲要素２２０の一方の端部に形成され、湾曲要素２２０の内方に向けてガイド面２２１に対して突出している。他方の厚肉部３２０は湾曲要素２２０の他方の端部に形成され、湾曲要素２２０の内方に向けてガイド面２２１に対して突出している。
【０１１４】
図１３はマウスピース３００がユーザーの口腔に装着された状態を示している。
ユーザーは上顎の歯および下顎の歯で各咬合要素３１０を咬むことによりマウスピース３００を保持する。マウスピース３００が口腔に装着された状態によれば、咬合要素３１０よりも上側のガイド面２２１が上顎の歯の表面および上顎の歯茎Ｇの表面との間に案内通路３３０を形成する。また、咬合要素３１０よりも下側のガイド面２２１が下顎の歯の表面および下顎の歯茎Ｇの表面との間に案内通路３３０を形成する。
【０１１５】
各厚肉部３２０は、上顎の歯茎Ｇのうちの第１大臼歯および第２大臼歯の付け根の部分、ならびに、下顎の歯茎Ｇのうちの第１大臼歯および第２大臼歯の付け根の部分に接触する。このため、案内通路３３０が形成された状態が保持されやすい。
【０１１６】
図１３を参照して、歯漂白装置１０の動作について説明する。
連結部２０の供給通路２１からマウスピース３００の供給通路２０１に歯漂白流体が供給される。供給通路２０１の歯漂白流体は供給口２０３から案内通路３３０に供給される。案内通路３３０の歯漂白流体は湾曲要素２２０のガイド面２２１に案内されることにより歯の並びに沿うように案内通路３３０を流れる。このため、歯漂白流体が上顎の歯および下顎の歯のおおよそ全部に到達し、それらの歯が漂白される。
【０１１７】
案内通路３３０に存在する歯漂白流体は排気口２０４を介して排気通路２０２に流れ込む。排気通路２０２の排気は連結部２０の排気通路２２および生成装置３０の排気通路３２（図１参照）を通過し、生成装置３０の排気口３３から生成装置３０の外部に排気される。
【０１１８】
実施の形態７の歯漂白装置１０によれば、実施の形態６の歯漂白装置１０により得られる（１）〜（１６）の効果に加えて、さらに以下の効果が得られる。
（１７）マウスピース３００は咬合要素３１０を備える。この構成によれば、ガイド面２２１と上顎の歯との間に形成される案内通路３３０と、ガイド面２２１と下顎の歯との間に形成される案内通路３３０とが咬合要素３１０により区画される。このため、上顎および下顎の歯の群毎に歯漂白流体の流れが形成され、マウスピース３００が咬合要素３１０を含まない場合と比較して歯の並びに沿う歯漂白流体の流れが安定する。
【０１１９】
（実施の形態８）
図１４および図１５を参照して、実施の形態８の歯漂白装置１０の構成について説明する。実施の形態８の歯漂白装置１０は、図１に示される実施の形態１の歯漂白装置１０の連結部２０およびマウスピース１００に代えて、図１４に示される連結部６０およびマウスピース４００を備える。なお、実施の形態８の歯漂白装置１０によれば、実施の形態６のマウスピース２００により得られる効果と同様の効果が得られる。
【０１２０】
連結部６０は２本の管状の物体である供給連結部６３および排気連結部６４を備える。図示された例によれば、供給連結部６３および排気連結部６４が一体化されている。供給連結部６３は生成装置３０から供給された歯漂白流体をマウスピース４００に案内する供給通路６１を備える。排気連結部６４はマウスピース４００から排気された歯漂白流体を生成装置３０に案内する排気通路６２を備える。
【０１２１】
ハウジング３４は、供給連結部６３が接続される供給接続部３５Ａ、および、排気連結部６４が接続される排気接続部３５Ｂを備える。供給接続部３５Ａは生成装置３０の供給通路３１と生成装置３０の外部とを連通する供給接続通路３６Ａを備える。排気接続部３５Ｂは生成装置３０の排気通路３２と生成装置３０の外部とを連通する排気接続通路３６Ｂを備える。
【０１２２】
生成装置３０の供給接続部３５Ａおよび排気接続部３５Ｂに連結部６０が挿入された状態によれば、生成装置３０の通路および連結部６０の通路が次の接続関係を形成する。生成装置３０の供給通路３１は、供給連結部６３の供給通路６１と連通し、排気連結部６４の排気通路６２とは連通しない。生成装置３０の排気通路３２は、排気連結部６４の排気通路６２と連通し、供給連結部６３の供給通路６１とは連通しない。
【０１２３】
マウスピース４００は、次の点において実施の形態６のマウスピース２００と相違し、それ以外の点において実施の形態６のマウスピース２００と実質的に同じ構成を備える。マウスピース４００は、マウスピース２００の接続部２１０に代えて接続部４１０を備え、マウスピース２００の区画要素２７０に代えて区画要素４４０を備える。マウスピース４００はさらに、供給口２０３に代えて供給口４０３を備え、排気口２０４に代えて排気口４０４を備え、供給通路２０１に代えて供給通路４０１を備え、排気通路２０２に代えて排気通路４０２を備える。
【０１２４】
一例によれば、接続部４１０、湾曲要素２２０、胴２３０、２つの桟２４０、２つのリム２５０、および、２つのリブ２６０は一体成形された樹脂要素であり、区画要素４４０はその樹脂要素とは別に成形された樹脂要素である。
【０１２５】
接続部４１０は、供給連結部６３が接続される供給接続部４２０、および、排気連結部６４が接続される排気接続部４３０を備える。供給接続部４２０は胴２３０の要素収容空間２８０とマウスピース４００の外部とを連通する供給接続通路４２１を備える。排気接続部４３０は胴２３０の要素収容空間２８０とマウスピース４００の外部とを連通する排気接続通路４３１を備える。
【０１２６】
マウスピース４００の接続部４１０に連結部６０が挿入された状態によれば、マウスピース４００の通路および連結部６０の通路が次の接続関係を形成する。マウスピース４００の供給通路４０１は、供給連結部６３の供給通路６１と連通し、排気連結部６４の排気通路６２とは連通しない。マウスピース４００の排気通路４０２は、排気連結部６４の排気通路６２と連通し、供給連結部６３の供給通路６１とは連通しない。
【０１２７】
図１５はマウスピース４００の分解斜視構造を示している。
区画要素４４０は、胴２３０の内面および湾曲要素２２０の内面との間に排気通路４０２が形成されるように区画要素４４０の形状を保持するための複数の支持突起４４１、ならびに、供給通路４０１および供給口４０３を備える。
【０１２８】
区画要素４４０が要素収容空間２８０に挿入され、支持突起４４１が胴２３０の内面に密着することにより区画要素４４０が胴２３０に固定され、図１４に示されるマウスピース４００が構成される。
【０１２９】
図１４に示されるとおり、マウスピース４００によれば、要素収容空間２８０が区画要素４４０により区画され、胴２３０の内面および湾曲要素２２０の内面と区画要素４４０の外面との間に存在する要素収容空間２８０の一部が排気通路４０２および排気口４０４を構成する。供給通路４０１は供給接続通路４２１と供給口４０３とを連通する。排気通路４０２は排気接続通路４３１と排気口４０４とを連通する。要素収容空間２８０の開口である排気口４０４はガイド面２２１に開口し、区画要素４４０を隔てて供給口４０３の周囲を取り囲んでいる。
【０１３０】
図１６を参照して、歯漂白装置１０の動作について説明する。
供給連結部６３の供給通路６１からマウスピース４００の供給通路４０１に歯漂白流体が供給される。供給通路４０１の歯漂白流体は供給口４０３から口腔内に供給される。口腔内の歯漂白流体は湾曲要素２２０のガイド面２２１に案内されることにより歯の並びに沿うように口腔内を流れる。このため、歯漂白流体が上顎の歯および下顎の歯のおおよそ全部に到達し、それらの歯が漂白される。
【０１３１】
口腔内に存在する歯漂白流体は排気口４０４を介して排気通路４０２に流れ込み、連結部２０の排気通路２２および生成装置３０の排気通路３２（図１参照）を通過し、生成装置３０の排気口３３から生成装置３０の外部に排気される。
【０１３２】
（実施の形態９）
図１７〜図１９Ｂを参照して、実施の形態９の歯漂白装置１０の構成について説明する。実施の形態９の歯漂白装置１０は、図１に示される実施の形態１の歯漂白装置１０のマウスピース１００に代えて、図１７に示されるマウスピース５００を備える。
【０１３３】
マウスピース５００は例えば、その平面視における左右方向の中心線に対して左右対称の形状を有し、ユーザーの年齢等に応じた様々な大きさを取り得る。マウスピース５００を構成する材料の一例はシリコーンゴムである。
【０１３４】
マウスピース５００は、連結部２０（図１８参照）が接続される接続部５１０、歯漂白流体の流れを案内できるように湾曲した外側湾曲要素５２０、および、接続部５１０と外側湾曲要素５２０とを繋げる中空の胴５３０を備える。マウスピース５００はさらに、外側湾曲要素５２０から突出した２つの桟５４０、胴５３０の周囲から突出した２つのリム５５０、外側湾曲要素５２０から突出した咬合要素５６０、および、咬合要素５６０から突出した内側湾曲要素５７０を備える。胴５３０の一例はオーバルチューブである。各桟５４０、咬合要素５６０、および、内側湾曲要素５７０は、外側湾曲要素５２０の形状に倣って湾曲している。
【０１３５】
マウスピース５００はさらに、歯収容空間５０５、上側の唇収容空間５０７、および、下側の唇収容空間５０７を備える。歯収容空間５０５は、外側湾曲要素５２０、咬合要素５６０、および、内側湾曲要素５７０に囲まれて形成されている。上側の唇収容空間５０７は、外側湾曲要素５２０の背面、胴５３０の頂面、および、一方のリム５５０の側面に囲まれて形成されている。下側の唇収容空間５０７は、外側湾曲要素５２０の背面、胴５３０の底面、および、一方のリム５５０の側面に囲まれて形成されている。
【０１３６】
図１９Ａに示されるとおりマウスピース５００はさらに、供給通路５０１、排気通路５０２、２つの供給口５０３、および、２つの排気口５０４を備える。供給通路５０１は、外側湾曲要素５２０および胴５３０の内部に形成される入口供給通路５０Ａ、および、咬合要素５６０の内部に形成される出口供給通路５０Ｂを含む。排気通路５０２は外側湾曲要素５２０および胴５３０の内部に形成されている。供給口５０３はマウスピース５００の内部の空間である出口供給通路５０Ｂとマウスピース５００の外部とを連通する。排気口５０４はマウスピース５００の内部の空間である排気通路５０２とマウスピース５００の外部とを連通する。
【０１３７】
図１７および図１８に示されるとおり、出口供給通路５０Ｂおよび供給口５０３は例えば咬合要素５６０の延長方向に沿うように形成される。排気口５０４は例えば外側湾曲要素５２０の延長方向に沿うように形成される。
【０１３８】
図１８に示されるとおり、接続部５１０は入口供給通路５０Ａおよび排気通路５０２とマウスピース５００の外部とを連通する接続通路５１１を備える。供給通路５０１は接続通路５１１と供給口５０３とを連通する。排気通路５０２は接続通路５１１と排気口５０４とを連通する。
【０１３９】
図１７に示されるとおり、外側湾曲要素５２０は歯漂白流体を案内するガイド面５２１を備える。ガイド面５２１における咬合要素５６０よりも上側の部分に一方の排気口５０４が開口している。ガイド面５２１のうちの咬合要素５６０よりも下側の部分に他方の排気口５０４（図１９Ａ参照）が開口している。
【０１４０】
上側の桟５４０は外側湾曲要素５２０の上側の縁に形成され、外側湾曲要素５２０の内方に向けて突出している。下側の桟５４０は外側湾曲要素５２０の下側の縁に形成され、外側湾曲要素５２０の内方に向けて突出している。各桟５４０の先端にはＲ部分が形成されている。２つのリム５５０は胴５３０の中心軸線の方向において隙間を隔てて対向している。
【０１４１】
咬合要素５６０は外側湾曲要素５２０の内方に向けて突出し、相対的に表裏の関係を形成する上側面５６１および下側面５６２を備える。内側湾曲要素５７０は咬合要素５６０の上側面５６１からマウスピース５００の高さ方向に突出した要素であり、外側湾曲要素５２０のガイド面５２１と対向するガイド面５７１を備える。
【０１４２】
図１９Ａおよび図１９Ｂに示されるとおり、上側の供給口５０３が咬合要素５６０の上側面５６１に開口し、下側の供給口５０３が咬合要素５６０の下側面５６２に開口している。上側の供給口５０３および下側の供給口５０３は咬合要素５６０の内部に形成される出口供給通路５０Ｂを隔てて互いに対向している。出口供給通路５０Ｂの流路面積は、連結部２０の供給通路２１の流路面積、入口供給通路５０Ａの流路面積、および、供給口５０３の流路面積よりも広い。
【０１４３】
咬合要素５６０における供給口５０３の形成位置は、咬合要素５６０が外側湾曲要素５２０のガイド面５２１から突出する方向において外側湾曲要素５２０寄りの位置に設定されている。
【０１４４】
図１８はマウスピース５００の平面構造を示している。
連結部２０の一例は実施の形態２と同様に内管２３および外管２４により構成されるホースである。マウスピース５００の接続通路５１１に連結部２０が挿入された状態によれば、マウスピース５００の通路および連結部２０の通路が次の接続関係を形成する。マウスピース５００の供給通路５０１は、連結部２０の供給通路２１と連通し、連結部２０の排気通路２２とは連通しない。マウスピース５００の排気通路５０２は、連結部２０の排気通路２２と連通し、連結部２０の供給通路２１とは連通しない。
【０１４５】
図１９Ａは、マウスピース５００を装着したユーザーの口腔における前歯ＴＦおよびその周囲を示している。図１９Ｂは、マウスピース５００を装着したユーザーの口腔における奥歯ＴＲおよびその周囲を示している。
【０１４６】
歯収容空間５０５の高さは例えば、前歯ＴＦおよび奥歯ＴＲにおける歯茎Ｇとの付け根の部分が歯収容空間５０５に収容されるように設定される。なお、歯収容空間５０５の高さは、咬合要素５６０の上側面５６１から外側湾曲要素５２０の頂面または内側湾曲要素５７０の頂面までの距離である。
【０１４７】
歯収容空間５０５の幅は例えば、外側湾曲要素５２０のガイド面５２１と前歯ＴＦおよび奥歯ＴＲとの間に適度な大きさの隙間である案内通路５０６が形成されるように設定される。なお、歯収容空間５０５の幅は、咬合要素５６０がガイド面５２１から突出している方向における外側湾曲要素５２０のガイド面５２１と内側湾曲要素５７０のガイド面５７１との距離である。
【０１４８】
歯収容空間５０５の開口の幅は例えば、外側湾曲要素５２０のガイド面５２１、および、内側湾曲要素５７０のガイド面５７１が、前歯ＴＦおよび奥歯ＴＲにおける歯茎Ｇとの付け根の部分と適度な圧力で接触するように設定される。なお、歯収容空間５０５の開口の幅は、咬合要素５６０がガイド面５２１から突出している方向における桟５４０の先端と内側湾曲要素５７０のガイド面５７１との距離である。
【０１４９】
図１９Ａに示されるとおり、マウスピース５００が口腔に装着された状態によれば、上唇ＲＵが上側の唇収容空間５０７に配置され、下唇ＲＬが下側の唇収容空間５０７に配置される。また、上顎の前歯ＴＦの切縁が咬合要素５６０の上側面５６１に接触し、下顎の前歯ＴＦの切縁が咬合要素５６０の下側面５６２に接触する。
【０１５０】
外側湾曲要素５２０のガイド面５２１は前歯ＴＦとの間に案内通路５０６を形成する。上側の桟５４０は上顎の歯茎Ｇにおける前歯ＴＦの付け根の部分の表面に接触する。下側の桟５４０は下顎の歯茎Ｇにおける前歯ＴＦの付け根の部分の表面に密着する。内側湾曲要素５７０のガイド面５７１は、上顎の歯茎Ｇにおける前歯ＴＦの付け根の部分の裏面、および、下顎の歯茎Ｇにおける前歯ＴＦの付け根の部分の裏面に密着する。各桟５４０のＲ部分は歯茎Ｇにソフトな接触感を与える。
【０１５１】
図１９Ｂに示されるとおり、マウスピース５００が口腔に装着された状態によれば、上顎の奥歯ＴＲの咬合面が咬合要素５６０の上側面５６１に接触し、下顎の奥歯ＴＲの咬合面が咬合要素５６０の下側面５６２に接触する。
【０１５２】
外側湾曲要素５２０のガイド面５２１は奥歯ＴＲとの間に案内通路５０６を形成する。上側の桟５４０は上顎の歯茎Ｇにおける奥歯ＴＲの付け根の部分の表面に密着する。下側の桟５４０は下顎の歯茎Ｇにおける奥歯ＴＲの付け根の部分の表面に密着する。内側湾曲要素５７０のガイド面５７１は、上顎の歯茎Ｇにおける奥歯ＴＲの付け根の部分の裏面、および、下顎の歯茎Ｇにおける奥歯ＴＲの付け根の部分の裏面に密着する。
【０１５３】
図１９Ａおよび図１９Ｂを参照して、歯漂白装置１０の動作について説明する。
図１９Ａに示されるとおり、連結部２０の供給通路２１からマウスピース５００の供給通路５０１である入口供給通路５０Ａに歯漂白流体が供給される。供給通路５０１の歯漂白流体は入口供給通路５０Ａから出口供給通路５０Ｂに流れ込むことにより減速する。出口供給通路５０Ｂの歯漂白流体は供給口５０３の中間部分から案内通路５０６に供給される。このため、歯漂白流体が前歯ＴＦに到達し、その歯が漂白される。また、前歯ＴＦの付近に存在する歯漂白流体は咬合要素５６０の上方または下方に開口している排気口５０４を介して排気通路５０２に流れ込み、連結部２０の排気通路２２を通過してマウスピース５００の外部に排気される。
【０１５４】
図１９Ｂに示されるとおり、出口供給通路５０Ｂの歯漂白流体は供給口５０３の中間部分よりも端部側の部分から案内通路５０６に供給される。このため、歯漂白流体が奥歯ＴＲに到達し、その歯が漂白される。また、奥歯ＴＲの付近に存在する歯漂白流体は供給口５０３の上方または下方に開口している排気口５０４を介して排気通路５０２に流れ込み、連結部２０の排気通路２２を通過してマウスピース５００の外部に排気される。
【０１５５】
案内通路５０６の歯漂白流体は、外側湾曲要素５２０のガイド面５２１に案内されることにより歯の並びに沿うように案内通路５０６を流れる。このため、歯漂白流体が上顎の歯および下顎の歯のおおよそ全部に到達し、それらの歯が漂白される。
【０１５６】
実施の形態９の歯漂白装置１０によれば、実施の形態８の歯漂白装置１０により得られる（１）〜（９）の効果、および、（１１）〜（１７）の効果に加えて、さらに以下の効果が得られる。
【０１５７】
（１８）マウスピース５００によれば、咬合要素５６０の内部に出口供給通路５０Ｂが形成され、咬合要素５６０の上側面５６１および下側面５６２のそれぞれに供給口５０３が開口されている。この構成によれば、マウスピース５００の内部の歯漂白流体が出口供給通路５０Ｂおよび供給口５０３を通過するときに、その歯漂白流体の流れの方向が大きく変化する。このため、出口供給通路５０Ｂに歯漂白流体が滞留しやすい。このため、出口供給通路５０Ｂに存在する有効成分が歯漂白流体中に拡散しやすい。このため、有効成分の濃度の差が小さい歯漂白流体が供給口５０３から案内通路５０６に供給される。このため、１つの歯の各部分における漂白の度合、および、互いに異なる歯における漂白の度合に差が生じにくい。
【０１５８】
（１９）出口供給通路５０Ｂが咬合要素５６０の内部に形成されている。この構成によれば、出口供給通路５０Ｂと同じ容積を有する通路が外側湾曲要素５２０の内部に形成される場合と比較して、外側湾曲要素５２０の厚みを薄く設定できる余地が大きい。そして、外側湾曲要素５２０の厚みが薄く設定される場合にはユーザーがマウスピース５００を装着しやすくなる。
【０１５９】
（変形例）
各実施の形態に関する説明は本発明の歯漂白装置が取り得る形態の例示であり、本発明の歯漂白装置が取り得る形態を制限することを意図していない。本発明の歯漂白装置は各実施の形態以外に例えば以下に示される各実施の形態の変形例を取り得る。
【０１６０】
・実施の形態１〜５の連結部２０の変形例によれば、連結部２０の供給通路２１が直接的にマウスピース１００の供給口１０３に接続される。なお、実施の形態２〜９の連結部２０，６０についても同様の変形が成立する。
【０１６１】
・実施の形態１〜５の連結部２０の変形例によれば、連結部２０の排気通路２２が直接的にマウスピース１００の排気口１０４に接続される。なお、実施の形態２〜９の連結部２０，６０についても同様の変形が成立する。
【０１６２】
・実施の形態１〜５のマウスピース１００の変形例によれば、複数の供給口１０３および複数の排気口１０４が形成される。
・実施の形態１〜５の歯漂白装置１０の変形例は、２つのマウスピース１００、および、２つの連結部２０を備える。一方のマウスピース１００は上顎の歯を漂白するために用いられる。他方のマウスピース１００は下顎の歯を漂白するために用いられる。一方のマウスピース１００は一方の連結部２０により生成装置３０と連結される。他方のマウスピース１００は他方の連結部２０により生成装置３０と連結される。この変形例の歯漂白装置１０によれば、ユーザーが２つのマウスピース１００を併せて装着することにより、上顎の歯および下顎の歯を同時に漂白できる。
【０１６３】
・上記変形例をさらに変形した歯漂白装置１０は、２つの連結部２０に代えて、２つのマウスピース１００と生成装置３０とを連結する共通の連結部を備える。
・実施の形態１〜５の歯漂白装置１０の変形例は、図１に示される吸引部７０をさらに備える。吸引部７０の一例は吸引ポンプであり、生成装置３０のハウジング３４の内部に配置される。吸引部７０は生成装置３０の排気通路３２と接続され、排気通路３２のガスを吸引して排気口３３から生成装置３０の外部に排気する。この変形例によれば、吸引部７０が駆動することにより口腔内の歯漂白流体が吸引部７０により吸引され、マウスピース１００の排気口１０４、排気通路１０２、連結部２０の排気通路２２、および、生成装置３０の排気通路３２の順に流れ、排気口３３を介して生成装置３０の外部に排気される。このため、歯漂白流体が口腔内に滞留してユーザーに不快感を与えるおそれが一層低くなる。なお、この変形例は実施の形態６〜９においても同様に成立する。
【０１６４】
・さらに別の変形例によれば、吸引部７０が生成装置３０の外部に配置され、連結部２０とは別の連結部によりマウスピース１００と接続される。
・実施の形態４の歯漂白装置１０の変形例は電動式のエアーポンプ５５に代えて手動式のエアーポンプを備える。
【０１６５】
・実施の形態４の生成装置３０の変形例は電源部５１に代えて１次電池または２次電池を備える。
・実施の形態４の共振回路５３の変形例は、積層圧電トランス５４の２次側電極、リアクトル、および、放電部４０の霧化電極４１が直列的に接続された回路構成を備える。
【０１６６】
・実施の形態５の放電部４０の変形例は冷却モジュール４４に代えて、霧化電極４１を結露させる装置、または、霧化電極４１に水分を供給する装置を備える。
・実施の形態９のマウスピース５００の変形例によれば、咬合要素５６０に複数の供給口５０３が形成される。
【０１６７】
・実施の形態９のマウスピース５００の変形例によれば、外側湾曲要素５２０および内側湾曲要素５７０のうちの下側の歯収容空間５０５を形成する部分、ならびに、下側の供給口５０３が省略される。この変形例によれば、ユーザーがマウスピースを使用することにより上顎の歯だけが漂白される。
【０１６８】
・実施の形態９のマウスピース５００の変形例によれば、外側湾曲要素５２０および内側湾曲要素５７０のうちの上側の歯収容空間５０５を形成する部分、ならびに、上側の供給口５０３が省略される。この変形例によれば、ユーザーがマウスピースを使用することにより下顎の歯だけが漂白される。
【０１６９】
・各実施の形態のマウスピース１００，２００，３００，４００，５００の変形例によれば、シリコーンゴムとは別の材料であって可撓性を有する材料により形成される。その材料の一例は、エラストマーゴム、軟質塩化ビニル、および、エチレンープロピレンージエンゴムである。
【０１７０】
・各実施の形態の生成装置３０の変形例は放電部４０に直流電力を供給し、その電力により放電部４０に放電を発生させる。
・各実施の形態の生成装置３０の変形例はグロー放電またはアーク放電等のようにコロナ放電とは異なる形態の放電を発生させる。
【０１７１】
・各実施の形態の生成装置３０の変形例は、プラズマの形態を有する歯漂白流体を生成する。
・各実施の形態の歯漂白装置１０の変形例によれば、連結部２０，６０が生成装置３０およびマウスピース１００，２００，３００，４００，５００の少なくとも一方と一体化される。
【０１７２】
・各実施の形態の歯漂白装置１０の変形例によれば、生成装置３０とマウスピース１００，２００，３００，４００，５００とが直接的に接続される。
・上記詳細な説明は例証的であり制限的でないことを意図する。例えば、上述した各実施の形態、または、１つあるいは複数の変形例は、必要に応じて互いに組み合わせられる余地を含む。本開示の技術的特徴または主題は、特定の実施の形態の全ての特徴よりも少ない特徴に存在することがあり得る。このため、特許請求の範囲は詳細な説明に組み込まれ、各請求項は個別の実施形態として自分自身を主張する。そして、本開示の範囲は特許請求の範囲に与えられる権利と均等物の全範囲との双方に基づいて確定される。
【符号の説明】
【０１７３】
１０  ：歯漂白装置
２０  ：連結部
２１  ：供給通路
２２  ：排気通路
２３  ：内管
２４  ：外管
３０  ：生成装置
７０  ：吸引部
１００：マウスピース
１０１：供給通路
１０２：排気通路
１０３：供給口
１０４：排気口
１２０：外側湾曲要素
１２１：ガイド面
２００：マウスピース
２０１：供給通路
２０２：排気通路
２０３：供給口
２０４：排気口
２２０：湾曲要素
２２１：ガイド面
３００：マウスピース
４００：マウスピース
４０１：供給通路
４０２：排気通路
４０３：供給口
４０４：排気口
５００：マウスピース
５０１：供給通路
５０Ａ：入口供給通路
５０Ｂ：出口供給通路
５０２：排気通路
５０３：供給口
５０４：排気口
５２０：外側湾曲要素
５２１：ガイド面
【図１】
2015229084.tif 000003
【図２】
2015229084.tif 000004
【図３】
2015229084.tif 000005
【図４】
2015229084.tif 000006
【図５Ａ】
2015229084.tif 000007
【図５Ｂ】
2015229084.tif 000008
【図６】
2015229084.tif 000009
【図７】
2015229084.tif 000010
【図８】
2015229084.tif 000011
【図９】
2015229084.tif 000012
【図１０】
2015229084.tif 000013
【図１１】
2015229084.tif 000014
【図１２】
2015229084.tif 000015
【図１３】
2015229084.tif 000016
【図１４】
2015229084.tif 000017
【図１５】
2015229084.tif 000018
【図１６】
2015229084.tif 000019
【図１７】
2015229084.tif 000020
【図１８】
2015229084.tif 000021
【図１９Ａ】
2015229084.tif 000022
【図１９Ｂ】
2015229084.tif 000023